(57)【特許請求の範囲】
【請求項１】
台紙（３）と、該台紙（３）の少なくとも片面に重ね貼りされて少なくとも１回の剥離及び再接着が可能な覆面シート材（４）とを有し、
前記覆面シート材（４）は、イラスト等の印刷が施された透明又は半透明の透過性を有する素材により形成され、前記台紙（３）の覆面シート材（４）が重ね貼りされる面には、該覆面シート材（４）を通して見える横罫線が所定間隔で施されており、かつ、前記覆面シート材（４）は、台紙（３）に貼り付けられた覆面シート材形成材に台紙（３）の横罫線に沿った切れ込みを施すことにより台紙（３）における横罫線間の１行相当分の大きさに形成されており、その行方向長さ（Ｌ）が台紙（３）の有効短辺寸法（Ｗ）以下であり且つ有効長辺寸法（Ｈ）の半分又はそれ以下に形成されていることを特徴とするマルチファイルシート。
【請求項２】
前記覆面シート材（４）は、再貼着及び再剥離が可能な粘着剤（８）によって台紙（３）に貼着されていることを特徴とする請求項１記載のマルチファイルシート。
【請求項３】
前記覆面シート材（４）は、通常筆記具による書込が可能な素材により形成されていることを特徴とする請求項１又は２記載のマルチファイルシート。
【請求項４】
前記覆面シート材（４）は、着色透明の素材で形成されていることを特徴とする請求項１〜３の何れか一つに記載のマルチファイルシート。
【請求項５】
前記台紙（３）には、罫線、区分線、分類枠等が表示されていることを特徴とする請求項１〜４の何れか一つに記載のマルチファイルシート。
【発明の詳細な説明】
【０００１】
【発明の属する技術分野】
本発明は、マルチファイルシートに関するものである。
【０００２】
【従来の技術】
一般に手帳には、書き留めようとする事項の内容ごとや発生順に応じて、それらに適したフォームを有する専用の頁が設けられており、各頁へ記入する各種情報を整理し易くなっている。現在、手帳として最も発展したかたちが、いわゆるシステム手帳であって、その各種頁としては、例えばスケジュール欄、メモ欄、チェックリスト欄、顧客管理欄、金銭出納欄、日記欄等のフォームを有したものがある。
【０００３】
これらの手帳等では、速記性、一覧性、携帯利便性等に優れ、また実際に筆記するという動作によって内容を忘れ難くなるという点で、電子手帳等とは異なる独自の有用性を有している。
【０００４】
【発明が解決しようとする課題】
従来の手帳等において、ある事項を書き留めようとする場合には、その記入に先立ち、書き込もうとする内容を頭の中で分類して、これに適したフォームの頁を選びだすという手間が要る。従って、このこと自体、頁めくり等において煩わしさがある。また、この頁選びを間違えると、後になって転記が必要になり、作業的にも時間的にも多大なロスを招くことになる。
【０００５】
のみならず、それぞれの事項を異なる頁へ振り分けて書き留めた結果、後になって例えば未済事項だけを探そうとしたときに、却って探し難くなるという難点もある。なお、一般に既済事項には、その全体にバツ印や二重線等を上書きして消し込みを行うが、そのため後になって再び記入内容を確認したくてもできないということがある。また、このような既済事項と未済事項とを混在したままで放置しておくと、未済事項の読み落としがある等の問題があった。
【０００６】
一方、場合によっては記入内容を関連事項ごとにまとめたり、既済事項と未済事項とを区分して整理し直したり、或いは一頁中に記入された内容を並び替えたりするうえで、どうしても転記が必要になることもあったが、このような場合では、上記のように転記作業が極めて大変であるばかりでなく、転記後において当初の記入頁は無駄になるといった欠点もある。本発明は、上記事情に鑑みてなされたものであって、転記の手間が不要でありながら、記入内容を所望する任意のかたちに整理でき且つこの整理が極めて容易にでき、しかも、未済事項の読み落とし等を防止でき、頁の無駄を省いてその利用価値を高めることもできるようにしたマルチファイルシートを提供することを目的とする。
また、従来の手帳等において、手帳等としてでなく、一般事務用品として使用したいという要望があった。
そこで、本発明は、手帳のみならず、一般事務用品として使用できるマルチファイルシートを提供することを目的とする。
【０００７】
【課題を解決するための手段】
本発明では、上記目的を達成するために、次の技術的手段を講じた。即ち、本発明のマルチファイルシートの特徴とするところは、台紙と、該台紙の少なくとも片面に重ね貼りされて少なくとも１回の剥離及び再接着が可能な覆面シート材とを有し、
前記覆面シート材は、イラスト等の印刷が施された透明又は半透明の透過性を有する素材により形成され、前記台紙の覆面シート材が重ね貼りされる面には、該覆面シート材を通して見える横罫線が所定間隔で施されており、かつ、前記覆面シート材は、台紙に貼り付けられた覆面シート材形成材に台紙の横罫線に沿った切れ込みを施すことにより台紙における横罫線間の１行相当分の大きさに形成されており、その行方向長さが台紙の有効短辺寸法以下であり且つ有効長辺寸法の半分又はそれ以下に形成されている点にある。
【０００８】
前記覆面シート材は、再貼着及び再剥離が可能な粘着剤によって台紙に貼着されているのが好ましい。
【０００９】
前記覆面シート材は、通常筆記具による書込が可能な素材により形成されているのが好ましい。
【００１０】
前記覆面シート材は、着色透明の素材で形成されているのが好ましい。
また、前記台紙には、罫線、区分線、分類枠等が表示されているのが好ましい。
【００１１】
覆面シート材を台紙へ貼り付けるための粘着剤として、再貼着及び再剥離が可能なものを用いれば、剥離後の覆面シート材を適宜箇所へ貼り替えるといったことが可能になる。
【００１２】
従って例えば、別々の頁又は所定の一頁中から、関連事項が記入された覆面シート材を寄せ集め、これらを他の一頁中へまとめたり、既済又は不要となった事項の記入された覆面シート材を、保存専用とする別の頁へ移し替え、残る覆面シート材（即ち、未済事項が記入されていることになる）を一頁中で詰め揃えたり、一頁中で、覆面シート材同士の並び替えをしたりすることができる。またこれらが極めて簡単且つ迅速に行える。
そして、このような使い方ができることは、転記という手間を一切不要にできるという利点に繋がり、また整理した情報を極めて迅速且つ正確に探し出すことができるという利点をもたらす。
【００１３】
しかも、記入時においては余計なことに気を使わずに、台紙の上の方の覆面シート材から順番通りに書き込んでゆく、といった使い方を許容できるものとなる。すなわち、いちいち、書き留めようとする内容を予め分類して、頁を選ぶといった煩わしさを解消できる利点に繋がる。
更に、剥離後の覆面シート材を別の書類や物品、或いは説明用のホワイトボード等へ貼着して付箋の代用として用いることや、この覆面シート材を、破れた用紙類の修理やホワイトボード等への書類の貼り付け時等のテープの代用として用いることや、覆面シート材の一端部を折り返し状にしたうえでこれを書物用しおり等の代用として用いること等、全く指向を変えた使い方へと展開することもできる。
【００１４】
覆面シート材の素材として透明や半透明等の、透過性を有するものを用いるので、例えば台紙等、覆面シート材を貼着した相手側部材に表示されたものが、覆面シート材自体を通して見えるようになる。
そのため、覆面シート材と相手側部材とを重ねた状態で複合的な表示にするといった使い方（例えば、台紙に表示した縦罫線と覆面シート材に表示した横罫線とを組み合わせて、マス目を得る等）や、相手側部材に記入されたものの保護カバーとして覆面シート材を用いるといった使い方ができる。
【００１５】
これらの場合、台紙には、罫線、区分線、分類枠等を表示することが可能である。
また一方、覆面シート材の素材として着色透明のものを用いた場合には、これをマーカー、即ち、蛍光ペン等により特定の表示を目立たせる手法の代用として、用いることができる。
覆面シート材を１行相当分の大きさに形成すると共に、その行方向長さを台紙の有効短辺寸法以下にし、且つ台紙の有効長辺寸法の半分又はそれ以下にすると、次のような使い方ができる。
【００１６】
すなわち、台紙に対し、その短辺に覆面シート材の行方向を沿わせるようにして、覆面シート材を貼り付けることと、台紙に対し、その長辺に覆面シート材の行方向を沿わせるようにして、２枚の覆面シート材を連結状に貼り付けることとの使い分けが可能となる。
そのため、覆面シート材に対し、その行方向に沿って縦書きの記入を行った場合、台紙における短辺側を上下として書き込みや読み取りをすることや、この状態から台紙を９０°横向きにすると共に、この台紙から剥離した覆面シート材を９０°向き代えして貼り直しし、台紙における長辺側を上下として書き込みや読み取りをすることが可能になる。
【００１７】
【発明の実施の形態】
以下、図面に基づいて本発明の実施の形態を説明する。
図１乃至図４は本発明に係るマルチファイルシート１の第１実施形態を示しており、また図５はこのマルチファイルシート１を具備して構成されたマルチファイル２を示している。
図２に分解状態を示すように、このマルチファイルシート１は、台紙３に対して覆面シート材４が重ね貼りされたものである。覆面シート材４は、図４に示すように台紙３の表裏両面に対して貼り付けられており、従ってこれら表面側及び裏面側でそれぞれ各別の頁が構成される。
【００１８】
台紙３は、普通紙を素材として形成されたもので、その一辺部には所定間隔で形成された複数の綴じ孔６を有する綴じ代部７が設けられている。この台紙３の表裏両面には、印刷等により、横罫線が所定間隔で表示されている。
綴じ代部７において、綴じ孔６の数や綴じ代部７の設けられる辺部の位置、及び綴じ代部７の形成幅等は、マルチファイル２の形式や形体等に応じて各種のものを採用可能である。このため、綴じ代部７は、台紙３の他の辺部の余白スペースに比べて必ずしも幅広であるとは限らないし、場合によっては綴じ孔６が無いこともある。
【００１９】
覆面シート材４は、例えばトレーシングペーパーのような半透明のシート素材や透明の樹脂シート素材等、透過性を有した素材を用いて形成されたもので、シャープペン、鉛筆、ボールペン、万年筆等の通常筆記具による書き込みが可能である。また、マジック（登録商標）やサインペン、蛍光ペン等による書き込みや着色も可能で、裏写りがしないものであれば、なおよい。
この覆面シート材４は、台紙３に表示された横罫線に対応する長さと、横罫線相互の間隔に対応する幅とを有するように細帯状に形成されている。すなわち、この覆面シート材４は、台紙３における各罫線間の１行相当分の大きさに形成されている。
【００２０】
従って１枚の台紙３には、表裏両側の頁中の行数に相当する、多数枚の覆面シート材４が、互いに隙間なく隣接して貼り付けられたものとなっている。
なお、このようなマルチファイルシート１を製作するうえでは、台紙３の片面の所定領域（記入可能スペース全体）を覆うほどの大きな覆面シート材形成材を台紙３に貼り付けておき、この後、形成材の厚み分のみに対し（台紙３には至らないようにして）、各覆面シート材４ごとの切れ込みを施すという方法をとるのが好適である。
【００２１】
各覆面シート材４の裏面には、これを台紙３へ貼り付けるために、全面的に粘着剤８（図４参照）が設けられている。この粘着剤８は、再貼着及び再剥離を何度も繰り返せる特性を有したものとされている。またこの粘着剤８は、透明又は半透明であり、覆面シート材４の透過性を邪魔することがないものとされている。
マルチファイル２（図５参照）は、このようなマルチファイルシート１を少なくとも１枚具備するようにして、多数の頁（全てがマルチファイルシート１である場合でも、当然によい）が、リング装置１０を介して一体的に綴じ込まれたものである。
【００２２】
リング装置１０としては、台紙３に設けられる綴じ代部７との関連において、リングの本数、形状、リング間隔、又はリングの開閉構造等が対応されることになるが、台紙３との組み合わせさえ合えば、これらのことは適宜変更可能であることは言うまでもない。１１はカバーケースである。
次に、このようなマルチファイルシート１及びマルチファイル２の各種使用例を説明する。
〔使用例１〕
まず、図３に示したように覆面シート材４が貼り付けられた状態でも台紙３の各罫線は見えるので、これら罫線に沿って覆面シート材４上に各種の必要事項を書き込んでゆく。
【００２３】
なお、以下の説明では、便宜上、図１において符号１Ａで示す頁を、書き込みを行うためのものとして、「剥離元の頁」と言うことにすると共に、符号１Ｂや１Ｃで示すものを整理後に用いるものとして、「貼着先の頁」と言うことにする。
図１において、剥離元の頁１Ａへ書き込むに際しては、記入事項の内容が異なるごとに行を改めるという点だけに留意すれば、他の点には何ら気を払う必要がない。
【００２４】
勿論、一つの記入事項が一行に収まらない場合には、次行へも繰り出して書き込めばよい。図中の覆面シート材４のうち、４−１及び４−２で示すものは、まさにこの例を示している。このような場合は、行間を跨がっている覆面シート材４の適所に、互いに連続していること、及び連続の順位を表す記号や数字等（図示略）を付しておくのが好適である。
このようにして、台紙３の上の方の覆面シート材４から、記入事項の発生順にしたがってどんどん書き込んでゆく。すなわち、いちいち、書き留めようとする内容を予め分類して、頁を選ぶというような煩わしいことは全くしなくともよい。
【００２５】
次に、剥離元の頁１Ａにおいて、各覆面シート材４の中から、例えば２月に関する事項が記入されたものを選び、台紙３から剥がし、これを２月度のスケジュールに専用させる貼着先の頁１Ｂに対して、日付の若い順に上から貼着してゆく。言うまでもなく、上記のように複数行にわたって連続性を有した覆面シート材４（４−１及び４−２）については、その一揃えを一緒にして取り扱う。
このとき、１枚の覆面シート材４が一行相当分の大きさを有していることが、１事項１単位としての取り扱いを可能にするという意味において、重要な作用を奏することになる。
【００２６】
また、覆面シート材４の中に余白が生じ難くなるため、覆面シート材４としても、また台紙３の占有スペースとしても、無駄が生じるのを必要最小限に抑えることができるものとなる。
なお、このときの貼着先の頁１Ｂは、当初から覆面シート材４が非貼着の、台紙３だけのものとすることもできるし、又は当初は覆面シート材４が貼着されたものとするが、貼り替えようとする上記覆面シート材４とは交替に、何も記入されてない覆面シート材４を剥離元の頁１Ａへ戻すというふうにしてもよい。また、大学ノート程度の大きさの別用紙や別ファイル等を貼着先の頁１Ｂとして利用することも可能である。
【００２７】
３月に関する事項が記入された覆面シート材４についても、上記と同様に、剥離元の頁１Ａから３月度のスケジュールに専用させる貼着先の頁１Ｃに貼り替えてゆく。このような作業を繰り返すことで、各月のスケジュール表を簡単にまとめあげることができる。
このような使い方は、転記という手間（即ち、筆記用具を用いて実際に書き移すという作業）が一切かからないにもかかわらず、情報の整理が思うまま、しかも迅速且つ簡単にできるものであり、画期的である。
【００２８】
なお、上記のように所定の覆面シート材４が剥がされることによって歯抜け状態とされる剥離元の頁１Ａでは、残された覆面シート材４を台紙３の上の方へ詰め揃えるようにすればよい。このとき、覆面シート材４同士の並び替えをすることもできる。
このようにすることにより、台紙３の下部にはまとまった空白部分ができるので、必要が生じたときに、この空白部分へ直接的にメモ等を記入するといった有効的な使い方も可能になる。
【００２９】
剥離元の頁１Ａにおいて、覆面シート材４が全て剥がされた後には台紙３だけが残されることになるので、この台紙３を新たな貼着先の頁として再利用したり、書き込みに直接に用いる用紙として再利用したりできる。即ち、同一頁において、覆面シート材４と台紙３とで各別の（二重の）利用価値があることになる。
〔使用例２〕
例えば、使用例１の方法で２月度スケジュール表が整理・完成されている貼着先の頁１Ｂにおいて、覆面シート材４の記入事項が既済又は不要となったときには、この覆面シート材４を台紙３から剥がし、これを保存専用とする別の頁（図示略）へ移し替え、貼り付ける。また上記貼着先の頁１Ｂでは、歯抜け状態で残された覆面シート材４（この覆面シート材４には、未済事項が記入されていることになる）を台紙３の上の方へ詰め揃える。
【００３０】
このようにすると、上記貼着先の頁１Ｂでは、既済又は不要事項の消去ができる。従って、いちいち記入事項にバツ印や二重線等を上書きして消し込みを行うといった手間が全くかからないので、簡単である。しかも、消し込みが無いのであるから、処理後の状態は綺麗なままである。従って、情報の探し出しが迅速に行え、しかも見落とし等を防止できる利点がある。
この貼着先の頁１Ｂに残される覆面シート材４の数は日を追うごとに少なくなり、従って必然的に目立ってくる。そのため、この覆面シート材４に記入された事項、即ち、未済事項が一目瞭然となり、見落としがない。
【００３１】
これに対し、保存専用頁（図示略）では、既済又は不要となった事項を記入した覆面シート材４が、必然的に、その既済又は不要となった順番通りに、上から並べられてゆくことになる。しかも、それぞれの事項が消し込みの無い状態で、はっきりと確認できる。従って、後になってからの確認や検索が非常にやり易くなるという利点がある。
〔使用例３〕
上記使用例１で整理・完成された貼着先の頁１Ｂや１Ｃにおいて、覆面シート材４の記入事項が既済又は不要となったときに、この覆面シート材４を台紙３から剥がして、逐次、捨ててゆく。そしてその都度、歯抜け状態で残された覆面シート材４を台紙３の上の方へ詰め揃える。
【００３２】
このようにすると、貼着先の頁１Ｂや１Ｃでは最終的に台紙３だけが残され、この台紙３を新たな貼着先の頁として再利用したり、書き込みに直接に用いる用紙として再利用したりできる。
〔使用例４〕
覆面シート材４を台紙３から剥がし、これを別の書類や物品、或いは説明用のホワイトボード等へ貼り付けて、付箋の代用として用いる。覆面シート材４へコメント等を記入すれば、連絡メモ等としても使える。
〔使用例５〕
覆面シート材４を台紙３から剥がし、これを破れた用紙類の修理や、ホワイトボード等へ書類を貼り付けるとき等のテープの代用として用いる。
【００３３】
このようなことが可能になるため、会議の都度、粘着テープを持ち歩かなければならない、といった手間を解消することができる。
〔使用例６〕
覆面シート材４を台紙３から剥がし、図６（ａ）及び（ｂ）に示すようにその長手方向の一端部を折り返して張り合わせ状態にする。そして、これを書物用しおり等の代用として用いる。折り返す長さは任意である。
このようにすると、折り返した部分で粘着剤８が内側に入るので、手等に対して引っつかず、また部分的に分厚くなっていることにより折り曲げが容易となるので、ツマミ部分として取り扱いに適したものとなる。
〔使用例７〕
覆面シート材４を台紙３から剥がし、これを台紙３や他の書類等のメモ書き箇所等へ重ね貼りし、保護カバーの代用として用いる。すなわち、メモ書きの内容等が誤って消されたり、汚れたり、傷付いたりしては困る場合や、メモ書きを水性ペン等でしたときに液がすれや他物への付着を防ぎたい場合等に、便利となる。
〔使用例８〕
覆面シート材４を台紙３から剥がし、これを台紙３や他の書類等に記入のあるメモ書き箇所、或いは特定の印刷箇所等へ重ね貼りし、その上から不透明の着色ペン（黒マジック等）で塗り潰して、目隠しの代用として用いる。これにより、特定の時間帯や特定の人物に対して一時的に情報を隠すことができる。勿論、隠す必要がなくなれば、覆面シート材４を剥ぎ取ればよい。
〔使用例９〕
覆面シート材４にタイトル名を記入し、これを台紙３から剥がしてカセットテープ、ビデオテープ、フロッピィ又はそれらのケースや、各種ファイルの背部等に貼り付けることにより、タイトルテープの代用として用いる。
【００３４】
図７は本発明に係るマルチファイルシート１の第２実施形態を示している。この第２実施形態では、台紙３として複数種（図例では３Ａ，３Ｂ，３Ｃの計３種類とした）のものが準備されており、これに対して覆面シート材４は共通する１種類だけとして、それらを組み合わせて貼り付けることによって、各別のフォームを有した頁（１Ｄ，１Ｅ，１Ｆ）を得ようとするものである。
この第２実施形態で用いる覆面シート材４は、複数枚が相互隣接的に繋げられたままのかたちで形成されており、その全体大きさは、台紙３の片面の所定領域（記入可能スペース全体）を覆うほどのものとされている。
【００３５】
そして、１行単位で切れ込み（図示略）が施されていて、必要に応じて、覆面シート材４を１枚づつ切り離すことができるようになっている。
各覆面シート材４には、行方向に沿った一辺寄りに各１本の罫線１５が印刷等によって表示されている。従って、複数枚の覆面シート材４が繋がった全体の形体として、これら各罫線１５は行を表示することになる。また１枚の覆面シート材４の中では、この罫線１５が下線（アンダーライン）等を表示することになる。
【００３６】
台紙３には、所定間隔で複数本の縦罫線１６が表示されたもの（３Ａ）、白紙状態のもの（３Ｂ）、所定の分類枠１７が表示されたもの（３Ｃ）、その他（図示略）がある。
従って、覆面シート材４を縦罫線１６付きの台紙３（３Ａ）へ重ね貼りすれば、それらの互いの罫線１５，１６が交差状に複合することにより、マス目パターンを有した頁１Ｄが得られることになる。
また、覆面シート材４を白紙状態の台紙３（３Ｂ）へ重ね貼りすれば、覆面シート材４による横罫線１５だけのパターンを有した頁１Ｅが得られることになる。
【００３７】
更に、覆面シート材４を分類枠１７付きの台紙３（３Ｃ）へ重ね貼りすれば、所定目的に応じた表パターンを有した頁１Ｆが得られることになる。
〔使用例１〕
１種類の覆面シート材４と複数種類の台紙３（３Ａ〜３Ｃ）との組み合わせにおいて、当初から全パターンの頁１Ｄ〜１Ｆを準備しておく。またこれと同時に、台紙３については、それぞれの種類（３Ａ〜３Ｃ）ごとに覆面シート材４が非貼着のものを準備し、これを貼着先の頁としておく。
【００３８】
そして、各頁１Ｄ〜１Ｆが有するパターンにおいて、所期の目的に応じた使用（表示書式に沿った書き込み）をする。また、書き込み後に覆面シート材４を貼り替えて情報整理をする場合も、剥離元の頁とする台紙３と、貼着先の頁とする台紙３とが同一種類のものになるようにする。このような使い方は、情報の整理方法として普遍的なものとされる。
〔使用例２〕
例えば、マス目パターンを有した頁１Ｄに対し、各マス目に１文字を対応させるようにしつつ、書き込みを行う。そして、書き込み後に情報整理（覆面シート材４の貼り替え）を行うときには、貼着先の頁として、白紙状態の台紙３Ｂを用いる。
【００３９】
このようにすると、白紙状態の台紙３Ｂに対して複数の覆面シート材４を貼り付けたものは、文字間から縦罫線１６がなくなった、スッキリとした状態となる。しかも、縦方向の文字並びが整然と揃えられているので、各覆面シート材４に記入された事項を、極めてスムーズ且つ正確に読み取ることができる。また、外観的にも非常に綺麗に整理されたものとなる。
言うまでもなく、剥離元の頁として残される台紙３Ａでは、縦罫線１６だけが表示された状態となるので、これを縦書き用紙として用いることができる。また、台紙３Ａを９０°横向きにすれば、横長の横書き用紙として用いることも可能になる。
〔使用例３〕
表パターンを有した頁１Ｆに対し、縦方向の区分線として表れる部分（分類枠１７の一部）を無視して、文字を書き込んでゆく。そして、書き込み後に情報整理（覆面シート材４の貼り替え）を行うときには、貼着先の頁として、白紙状態の台紙３Ｂを用いる。
【００４０】
このような使い方は、本来、邪道であり、はじめから表パターンを有した頁１Ｆではなく、横罫線１５だけのパターンを有した頁１Ｅで行えばよいものである。
しかし、書き込み時において、頁選びをしている暇がないようなときや、横罫線１５だけのパターンを有した頁１Ｅとして余白頁はおろか余白部分も無かったような場合等には、上記使い方も急場しのぎの策として、十分に利用価値を見いだせるものである。
〔使用例４〕
各覆面シート材４には、行方向に沿って１本の罫線１５が表示されているので、例えば白紙状態の台紙３Ｂ（覆面シート材４の非貼着とされたもの）と、何も記入していない複数枚（例えば４枚）の覆面シート材４とを用いて、台紙３Ｂ上で適宜の欄、表、分類枠、グラフ等を作りだすことができる。この場合、必要に応じて覆面シート材４を適宜長さに切断して用いてもよい。
【００４１】
また、覆面シート材４の貼着方向を斜めにして斜め罫線にするといった使い方もできる。
〔使用例５〕
覆面シート材４を台紙３から剥がし、他の書類等の特定の記載事項に重ねて貼るようにする。この場合、覆面シート材４に表示された罫線１５が、記載事項に対する下線（アンダーライン）となる。このような使い方は、契約書や委任状、或いは商品自体等、一般に書き込みが制限又は禁止されている書類等に対しても、何ら問題を起こさせるものではなく、特定の表示を目立たせることができるので、極めて利用価値が高い。
【００４２】
図８及び図９は本発明に係るマルチファイルシート１の第３実施形態を示している。この第３実施形態の覆面シート材４は、図８に示すように１行相当分の大きさに形成されたもので、その行方向長さＬは、台紙３の有効短辺寸法Ｗ（短辺全長から綴じ代部７の幅を除いた部分の寸法）以下とされ、且つ台紙３の有効長辺寸法Ｈ（短辺側に綴じ代部７が設けられた場合には、この幅を除いた部分の寸法となる）の半分又はそれ以下とされている（即ち、Ｗ≧Ｌ≦Ｈ／２）。
台紙３には白紙状態のものが用いられている。覆面シート材４に罫線等を入れるか入れないかは任意に選択できる。
〔使用例〕
まず、図８に示すように剥離元とする頁では、その全体を９０°横向きにする。従って、各覆面シート材４の行方向は縦長状態となる。そこで、この覆面シート材４に対し、その行方向に沿って縦書きで書き込みを行ってゆく。
【００４３】
次に、図９に示すように貼着先とする頁では、その全体を縦長状態にする。そして、剥離元の頁から所定の覆面シート材４を剥がしてこれを貼着先とする頁へ貼り付ける場合には、覆面シーク材４の行方向が、貼着先の頁の長辺に沿うようにする。このとき、最初の覆面シート材４は、第１行の上段側、次の覆面シート材４は第１行の下段側、次の覆面シート材４は第２行の上段側、…というふうに、１行おきに、覆面シート材４を上下段にわけて連結させてゆく。
このようにしてゆくと、貼着先の頁では、台紙３における短辺側を上下として、覆面シート材４への書き込みや記入事項の読み取りをすることができる。これであれば、後によって頁めくりをする場合や読み返すときに、いちいち頁ごとに向きを９０°変えるといった煩わしいことをする必要がなくなる。
【００４４】
なお、図８に示したように台紙３における長辺側を上下として、覆面シート材４への書き込みや記入事項の読み取りを行うことも、勿論、可能である。
図１０は本発明に係るマルチファイルシート１の第４実施形態（なお、覆面シート材４の図示は省略した）を示している。この第４実施形態では、台紙３の表裏両面に横罫線２０や見出し下線２１が所定間隔で表示されているが、この横罫線２０や見出し下線２１が、表裏両面で、天地方向に対称となっている。
すなわち、台紙３を、その天地が逆になるようにして裏返しにした場合、それまで裏面側に表示されていた横罫線２０や見出し下線２１が表側に表れ、しかも裏返しにする前と同じ配置となる。
〔使用例〕
マルチファイルシート１は、図５に示したように台紙３の綴じ代部７に設けられた綴じ孔６をマルチファイル２の綴じ込み用リング装置１０へ通すようにすることで、このリング装置１０の左右両側へめくり開閉可能にされる。
【００４５】
いま、リング装置１０を中心としてその両側へマルチファイルシート１を見開き状に広げるとする。そして、このうち、利き腕とは反対側となるマルチファイルシート１によって構成される頁（右利きの人であれば左側の頁となる）に、文字を書き込もうとしたとする。
この場合、リング装置１０が筆記具を持つ手の邪魔となり、上記頁へは書き難くなる。しかし、利き腕と同じ側となるマルチファイルシート１によって構成される頁（右利きの人であれば右側の頁となる）に文字を書き込む場合には、リング装置１０は何ら邪魔とはならない。
【００４６】
そこで、いつも利き腕側の頁（例えば偶数頁）に対して書き込みを行うようにし、この頁が一杯になったときには、台紙３を、その天地が逆になるようにして裏返しにする。これにより、再び利き腕側の頁（奇数頁）が記入可能な頁となる。
また、表裏両面の頁が記入済みとなった場合は、このマルチファイルシート１をリング装置１０の左側へめくる。そして、このような動作を繰り返すようにする。
【００４７】
図１１は本発明に係るマルチファイルシート１の第５実施形態を分解して示したものである。この第５実施形態では、覆面シート材４だけでなく、台紙３も、透明、半透明、又は着色透明等の、透過性を有する素材によって形成されている。
すなわち、台紙３に対して覆面シート材４を貼り付けた状態でも、覆面シート材４の上から台紙３の裏面側が透けて見える。このマルチファイルシート１では、台紙３の片面側だけに覆面シート材４を貼り付けるようになっている。
〔使用例１〕
このようなマルチファイルシート１は、図１２に示すような横罫線パターンを有する下敷き２５、マス目パターンを有する下敷き２６、所定目的に応じた表パターンを有する下敷き２７を用いて、文字の書き込みを行う。
【００４８】
この場合であると、１枚のマルチファイルシート１の中で、覆面シート材４ごとに複数種の下敷き２５〜２７を複合使用することが可能になる。例えば、上段側の覆面シート材４には横罫線パターンを有する下敷き２５を用い、中段の覆面シート材４にはマス目パターンを有する下敷き２６を用い、下段側の覆面シート材４には表パターンを有する下敷き２７を用いるといった具合である。
勿論、これらの覆面シート材４は、記入後に行う情報整理（覆面シート材４の貼り替え）時に、それぞれの使用パターンに応じた貼着先の頁へ貼り付ければよい。
【００４９】
この実施形態の場合、パターンの異なるマルチファイルシート１を、各パターンごとに多数頁づつ持ち歩く、といったことをする必要がなく、下敷き２５〜２７を１枚づつ携帯するだけで、いずれのパターンにも対応できることになる。すなわち、携帯性に優れている。
また、覆面シート材４及び台紙３として、パターンの異なるものを製作・準備しておく必要がないので、低コスト化が可能であるという利点もある。
〔使用例２〕
地図、図面、写真、イラスト等にマルチファイルシート１を重ね置き、その必要部分を覆面シート材４上へ書き移す、すなわち、トレースする。このトレース領域を含んだ全ての覆面シート材４は、台紙３に対して貼着されていたのと同じ順番のまま、例えば別用紙等に対して貼り替えることができる。
【００５０】
なお、覆面シート材４を台紙３から剥離させ、これを直接、地図等に貼着してトレースするといった方法も採用可能である。この場合は、覆面シート材４が地図等に対して貼り付き、ズレ動かないため、トレースし易く、且つ正確なトレースができるという利点がある。
図１３は本発明に係るマルチファイルシート１の第６実施形態を示している。この第６実施形態では、覆面シート材４が、台紙３の片面の所定領域（記入可能スペース全体）を覆うほどの大きなものとして形成されている。一方、台紙３には、印刷等により、横罫線が所定間隔で表示されている。
〔使用例〕
従って、覆面シート材４の上から文字を書き込んだ後、情報整理の段階で、必要と思われる所望大きさ、及び所望領域の一部だけ（符号４Ｘ、又は４Ｙ等参照）を、１枚切りカッター（重ねられた紙を１枚だけ切断できるカッターで、一般に市販されている）で切り取ってゆくようにする。
【００５１】
図１４は本発明に係るマルチファイルシート１の第７実施形態を示している。この第７実施形態では、覆面シート材４がブロック片状に形成されている。一方、台紙３には、印刷等により、各覆面シート材４が収まる区画線３０が表示されている。
ところで、本発明は、上記各実施形態以外にも、各種の変形、改良等が可能である。
例えば、覆面シート材４を着色透明の素材によって形成させる。これの使用例としては、マーカーの代用として用いる場合がある。すなわち、蛍光ペン等により特定の表示を目立たせる手法と同様である。
【００５２】
従って、この場合の覆面シート材４は、蛍光色とするのが好適である。また、複写機に対して発色しない（黒写りしない）ようにするうえでは、淡色系統にするのが好適である。
一般に蛍光ペン等のマーカーでは、間違って塗ってしまった場合の補修はできないが、上記のように着色透明の覆面シート材４を用いた場合では、何度でも貼り直しや撤回、又は色変え（即ち、色の異なる覆面シート材４との交換）が可能であるという利点がある。また契約書や委任状、或いは商品自体等、一般にマーカーの使用が禁止されているような書類等に対しても、何ら問題を起こさせるものではなく、特定の表示を目立たせることができる。
【００５３】
第１〜第７実施形態の中で挙げた種々の覆面シート材４や台紙３を、それぞれ適宜組み合わせて用いたり、或いはその使用方法を組み合わせた複合的な使用をしたりすることが可能である。
マルチファイルシート１としての大きさは、特に限定されるものではなく、大学ノート程度の大きさとしたり、手帳サイズとしたり、女性や子供向けに更に小型にしたりできる。
覆面シート材４は、２行又は３行といった、複数行幅で形成させることも可能である。また覆面シート材４の長さも、例えば台紙３の半分幅に相当する寸法にして、台紙３の横１行分を、横連結した２枚の覆面シート材４で対応させるというふうにすることができる。
【００５４】
粘着剤８は、１回の剥離によって使用不能になるようなもの（即ち、覆面シート材４は使い捨てとなる）でもよい。
覆面シート材４として、着色不透明のもの、網かけ表示のあるもの、イラスト等が印刷されたもの、使用者の氏名や所属が印刷されたもの（名刺に相当するようなもの）等を付属的に設けること等、この発明の持つ応用性は極めて広範囲にわたるものである。
【００５５】
【発明の効果】
以上の説明で明らかなように、本発明に係るマルチファイルシートでは、台紙の少なくとも片面に重ね貼りされた覆面シート材に対して、必要事項をどんどん書き込んでゆくようにした後、必要に応じて覆面シート材を台紙から剥がすということができるものである。
そして、覆面シート材を何度でも剥離及び貼着の可能なものとした場合、台紙から剥がした覆面シート材は、別の台紙やその他の適宜箇所へ貼り替え可能になる。
【００５６】
従って例えば、別々の頁又は所定の一頁中から、関連事項が記入された覆面シート材を寄せ集め、これらを他の一頁中へまとめたり、既済又は不要となった事項が記入された覆面シート材を、保存専用とする別の頁へ移し替え、残る覆面シート材（即ち、未済事項が記入されたもの）を一頁中で詰め揃えたり、一頁中で、覆面シート材同士の並び替えをしたりすることが、自由自在に行える。
また、既済又は不要となった記入事項は、この該当する覆面シート材を台紙から剥がすことによって、その頁からの消去ができるのであるから、消し込みという手間は一切かからない。
【００５７】
しかも、消し込みが無いので、その後の状態を綺麗なままにでき、未済事項の読み落とし等を防止することができる。
このようなことから、覆面シート材に書き込みを行う時点では、余計なことに何ら気を使わずともよく、記入に専念できる。また記入後においては、転記という手間（即ち、筆記用具を用いて実際に書き移すという作業）は完全に省けるうえに、情報の整理がいとも簡単に、且つ思うがままにできる。そのうえ、整理後の情報は極めて迅速且つ正確に検索できるという利点もある。
【００５８】
更に、覆面シート材が剥がされた後の台紙に対しても、これに直接的に文字を書き込むということができるので、同一の頁を、覆面シート材と台紙とにおいて各別に（二重に）有効利用できることになる。従って、資源の有効活用と省資源化とにとって、極めて有益となる。
覆面シート材が透過性を有するので、この覆面シート材を通してその裏側のものが見えるので、手帳等としてだけでなく、一般事務用品として、その応用範囲は飛躍的に広がることになる。
【図面の簡単な説明】
【図１】  マルチファイルシートの第１実施形態における使用説明図である。
【図２】  マルチファイルシートの第１実施形態を分解して示す斜視図である。
【図３】  マルチファイルシートの第１実施形態の正面図である。
【図４】  図３のＡ−Ａ線拡大断面図である。
【図５】  マルチファイルの一例を示す斜視図である。
【図６】  マルチファイルシートの第１実施形態で用いられる覆面シート材についてその応用使用例を示すもので、（ａ）は正面図であり、（ｂ）は側面図である。
【図７】  マルチファイルシートの第２実施形態としての各種展開パターンを示す分解説明図である。
【図８】  マルチファイルシートの第３実施形態（横使い状態）を示す正面図である。
【図９】  マルチファイルシートの第３実施形態における使用例（縦使い状態）を示す正面図である。
【図１０】  マルチファイルシートの第４実施形態における使用説明図である。
【図１１】  マルチファイルシートの第５実施形態を分解して示す正面図である。
【図１２】  マルチファイルシートの第５実施形態で用いる各種パターンの下敷きを示す正面図である。
【図１３】  マルチファイルシートの第６実施形態をその分解状態と共に示す正面図である。
【図１４】  マルチファイルシートの第７実施形態を分解して示す正面図である。
【符号の説明】
１ マルチファイルシート
２ マルチファイル
３ 台紙
４ 覆面シート材
７ 綴じ代部
８ 粘着剤
１５ 覆面シート材の罫線
１６ 台紙の罫線
１７ 台紙の分類枠
Ｗ 台紙の有効短辺寸法
Ｈ 台紙の有効長辺寸法
【図１】
0003759865.tif 000002
【図２】
0003759865.tif 000003
【図３】
0003759865.tif 000004
【図４】
0003759865.tif 000005
【図５】
0003759865.tif 000006
【図６】
0003759865.tif 000007
【図７】
0003759865.tif 000008
【図８】
0003759865.tif 000009
【図９】
0003759865.tif 000010
【図１０】
0003759865.tif 000011
【図１１】
0003759865.tif 000012
【図１２】
0003759865.tif 000013
【図１３】
0003759865.tif 000014
【図１４】
0003759865.tif 000015